(57)【特許請求の範囲】
【請求項１】
排尿を受けて排出する小便器であって、
排尿を受けるボウル面を形成するボウル部と、
このボウル部の底部に形成され、その底面に排水口が形成される排水口部と、
この排水口部の下方に形成され、上記排水口部の排水口よりも下流側に封水を形成する排水トラップ部と、
この排水トラップ部の後方側に形成され、上記ボウル面を洗浄して上記排水トラップ部から排出された洗浄水を小便器外部の排出部側へ排出させる排水室部と、
上記排水口部と上記排水室部とを区画する壁部を貫くように掃除口を形成し、掃除手段を上記排水口部側から上記掃除口を介して上記排水室部内に挿入することにより、少なくとも上記排水室部内及びその下流側の流路を掃除可能にする掃除口部と、
この掃除口部に着脱可能に取り付けられて上記掃除口を閉塞する閉塞具と、
上記排水口、上記掃除口部、及び、上記掃除口部に取り付けられた上記閉塞具のすべてに対して離間した状態で覆うように上記排水口部に取り付けられる目皿と、を有し、
上記排水口からその中心軸線上に沿って上記目皿の下面までの距離（Ｈ１）は、上記閉塞具の上端面から上記掃除口部の中心軸線に沿って上記目皿の下面までの距離（Ｈ２）よりも大きく設定されていることを特徴する小便器。
【請求項２】
上記目皿は、その下面から下方に向かって突出する複数の突出部を備えており、上記複数の突出部は、上記目皿が上記排水口部に取り付けられた状態から傾くことにより上記突出部の少なくとも一つが上記閉塞具の一部に当接可能に上記閉塞具と対向して配置されている請求項１記載の小便器。
【請求項３】
上記排水室部は、その一部が上記排水トラップ部と上記小便器外部の排出部とを接続する通路を形成する接続通路部を備え、上記掃除口は、その開口断面を中心軸線に沿って上記接続通路部に向けて投影した投影面が上記接続通路部の底面に形成されるように上記掃除口部に形成される請求項１又は２に記載の小便器。
【請求項４】
上記排水室部は、その一部が上記排水トラップ部と上記小便器外部の排出部とを接続する通路を形成する接続通路部を備え、上記掃除口は、その開口断面を中心軸線に沿って上記接続通路部に向けて投影した投影面が上記接続通路部の下流側端部に形成されるように上記掃除口部に形成される請求項１乃至３の何れか１項に記載の小便器。
【発明の詳細な説明】
【技術分野】
【０００１】
本発明は、小便器に係り、特に、排尿を受けて排出する小便器に関する。
【背景技術】
【０００２】
通常、排尿を受けて排出する小便器において、排尿を受けるボウル面を形成するボウル部の底部の排水口よりも下流側に封水を形成する排水トラップに付着した尿石については、掃除用のブラシを排水トラップに挿入して清掃する通常の清掃を行うことにより、ある程度除去することができる。
しかしながら、排水トラップの後方側（下流側）に接続される接続管路や、この接続管路と小便器の外部の排水管路との接続部等に付着し、さらに堆積した尿石については、これらの管路にブラシ等の掃除具を挿入して清掃するような通常の清掃が困難である部分でもあるため、付着した尿石が次第に成長して堆積量が増大し、最終的には、接続管路や排水管路を閉塞してしまう可能性があるという問題がある。
【０００３】
このような排水トラップの後方側（下流側）に接続される接続管路や、この接続管路と小便器の外部の排水管路との接続部等に尿石が付着して堆積した場合には、上述したように掃除具を挿入して清掃するような通常の清掃が困難であるため、このような尿石を取り除くために所定期間ごとに一旦小便器をその下流側の外部の排水管路から取り外した上で、尿石を薬剤で溶解させたり、尿石を摩滅させるための回転砥石状の工具を通したり、或いは高圧洗浄で除去処理したりすることが必要となる。
しかしながら、このような除去処理は、費用だけでなく、メンテナンス行為の期間はトイレを使用することができなくなるため、大掛かりな処理作業となり、簡単には行うことのできないという問題もある。
【０００４】
そこで、このような問題を解決するために、例えば、特許文献１に記載されている従来の小便器では、排水トラップの流出部の上方に位置するボウル部の後方底面に、清掃用具が挿入可能な開口が形成されている。また、この開口には、短筒状のソケットが固着されており、このソケットには、排水トラップの上流側の排水口を覆う目皿と一体的に形成された閉塞具が着脱可能に取り付けられている。さらに、この開口の開口断面を中心軸線に沿って排水トラップに向けて投影した投影面は、排水トラップの流出部の上部に形成されており、閉塞具を取り外すことにより、開口から清掃用具を挿入することができ、排水トラップの下流側の流出部付近を清掃することができるようになっている。
また、特許文献２に記載されている従来の小便器では、排水トラップの流出部の上方に位置するボウル部の後方底面に、洗浄水送水用高圧ホースが挿入可能な貫通穴が形成されている。この貫通穴の開口断面を中心軸線に沿って排水トラップに向けて投影した投影面は、排水トラップの流出部の上部に形成されており、洗浄水送水用高圧ホースを貫通穴に挿入し、洗浄水送水用高圧ホースの先端から高圧の洗浄水を噴射させることにより、小便器を取り外すことなく、小便器の後方側（下流側）の外部に接続される排水管を洗浄することができるようになっている。
【先行技術文献】
【特許文献】
【０００５】
【特許文献１】実開平６−６０６８４号公報
【特許文献２】実開平２−７８６８２号公報
【発明の概要】
【発明が解決しようとする課題】
【０００６】
しかしながら、上述した特許文献１に記載されている従来の小便器では、閉塞具及びその近傍に尿石が付着して堆積し、閉塞具及び閉塞具と一体である目皿の着脱が困難になるという懸念がある。
同様に、上述した特許文献２に記載されている従来の小便器についても、洗浄水送水用高圧ホースが挿入可能な貫通穴は、洗浄作業時以外は着脱可能な栓によって閉鎖されているが、栓自体が何ら覆われずに露出した状態であるため、栓及びその近傍に尿石が付着して堆積しやすく、栓の着脱が困難になるという問題がある他、栓に当たった尿や洗浄水が飛散しやすいという問題もある。
【０００７】
そこで、本発明は、上述した従来技術の問題を解決するためになされたものであり、小便器の掃除に伴って閉塞具を掃除口から着脱する際に、閉塞具や掃除口に付着している尿石による着脱の不具合を防ぐことができる小便器を提供することを目的としている。
【課題を解決するための手段】
【０００８】
上記の目的を達成するために、本発明は、排尿を受けて排出する小便器であって、排尿を受けるボウル面を形成するボウル部と、このボウル部の底部に形成され、その底面に排水口が形成される排水口部と、この排水口部の下方に形成され、上記排水口部の排水口よりも下流側に封水を形成する排水トラップ部と、この排水トラップ部の後方側に形成され、上記ボウル面を洗浄して上記排水トラップ部から排出された洗浄水を小便器外部の排出部側へ排出させる排水室部と、上記排水口部と上記排水室部とを区画する壁部を貫くように掃除口を形成し、掃除手段を上記排水口部側から上記掃除口を介して上記排水室部内に挿入することにより、少なくとも上記排水室部内及びその下流側の流路を掃除可能にする掃除口部と、この掃除口部に着脱可能に取り付けられて上記掃除口を閉塞する閉塞具と、上記排水口、上記掃除口部、及び、上記掃除口部に取り付けられた上記閉塞具のすべてに対して離間した状態で覆うように上記排水口部に取り付けられる目皿と、を有し、上記排水口からその中心軸線上に沿って上記目皿の下面までの距離（Ｈ１）は、上記閉塞具の上端面から上記掃除口部の中心軸線に沿って上記目皿の下面までの距離（Ｈ２）よりも大きく設定されていることを特徴としている。
このように構成された発明においては、ボウル部の底部に形成された排水口部に取り付けられた目皿が、排水口、掃除口部、及び、掃除口部に取り付けられた閉塞具のすべてに対して離間した状態で覆うように取り付けられていることにより、ボウル部内の排尿を洗浄した洗浄水がボウル面に沿って流れ、目皿を通過して排水口部に流入した際に、例えば、尿を含んだ洗浄水が目皿の下面（裏面）に沿って伝わりながら流れたとしても、目皿の下面と閉塞具とが互いに接触することなく、両者の間に隙間が確実に形成されているため、尿を含んだ洗浄水を排水口に行き渡り易くさせることができる。これにより、排水効率を向上させることができ、尿を含んだ洗浄水が目皿の下面から閉塞具に伝わり難くすることができる。また、閉塞具や掃除口部に尿が留まることによって尿石として付着することを抑制することもできるため、小便器の掃除に伴って閉塞具を掃除口部から着脱する際に、閉塞具や掃除口部に尿石が付着していることによって着脱の不具合が生じることを防ぐことができる。
また、排水口からその中心軸線上に沿って目皿の下面までの距離（Ｈ１）が、閉塞具の上端面から掃除口部の中心軸線に沿って目皿の下面までの距離（Ｈ２）よりも大きく設定されていることにより、ボウル部内の排尿を洗浄した洗浄水がボウル面に沿って流れ、目皿を通過して排水口部に流入する際に、例えば、尿を含んだ洗浄水が目皿の下面（裏面）に沿って伝わりながら流れたとしても、目皿の下面と閉塞具とが互いに接触することなく、両者の間に隙間が確実に形成されているため、尿を含んだ洗浄水を効果的に排水口に行き渡り易くさせることができ、排水効率をより向上させることができる。
【００１０】
本発明において、好ましくは、上記目皿は、その下面から下方に向かって突出する複数の突出部を備えており、上記複数の突出部は、上記目皿が上記排水口部に取り付けられた状態から傾くことにより上記突出部の少なくとも一つが上記閉塞具の一部に当接可能に上記閉塞具と対向して配置されている。
このように構成された発明においては、目皿の下面と閉塞具との間に隙間が形成されていることにより、例えば、目皿の表面を掃除している際等に目皿の表面の一部に力が加わって、目皿が傾くことがあったとしても、目皿が、その下面から下方に向かって突出する複数の突出部を備えており、これらの複数の突出部が、目皿が排水口部に取り付けられた状態から傾くことにより突出部の少なくとも一つが閉塞具の一部に当接可能に閉塞具と対向して配置されているため、目皿の突出部の少なくとも一つが閉塞具の一部に当接することにより目皿の傾きを制限することができる。したがって、目皿の表面の一部に力が加わることにより、目皿が傾きの限度を超えて回転して排水口部から外れてしまうことを防ぐことができる。
【００１１】
本発明において、好ましくは、上記排水室部は、その一部が上記排水トラップ部と上記小便器外部の排出部とを接続する通路を形成する接続通路部を備え、上記掃除口は、その開口断面を中心軸線に沿って上記接続通路部に向けて投影した投影面が上記接続通路部の底面に形成されるように上記掃除口部に形成される。
このように構成された発明においては、掃除口部の掃除口の開口断面を中心軸線に沿って接続通路部に向けて投影した投影面が、排水トラップ部と小便器外部の排出部とを接続する通路を形成する排水室部の接続通路部の底面に形成されることにより、小便器を清掃する際に、小便器外部の排出部に対して小便器全体を取り外すことなく、掃除口部から閉塞具を取り外すだけで、例えば、掃除手段を排水口部側から掃除口を介して排水室部内に挿入することができる。これにより、排水トラップ部より後方側（下流側）に形成される排水室部の接続通路部の底面付近の掃除を簡単且つ確実に行うことができる。したがって、排水トラップ部の後方側（下流側）の排水室部の接続通路部の底面付近に尿石が付着して堆積することを抑制することができ、ボウル面を洗浄して排水トラップ部から排出された接続通路部の排水の詰まりを防ぐことができる。
【００１２】
本発明において、好ましくは、上記排水室部は、その一部が上記排水トラップ部と上記小便器外部の排出部とを接続する通路を形成する接続通路部を備え、上記掃除口は、その開口断面を中心軸線に沿って上記接続通路部に向けて投影した投影面が上記接続通路部の下流側端部に形成されるように上記掃除口部に形成される。
このように構成された発明においては、掃除口部の掃除口の開口断面を中心軸線に沿って接続通路部に向けて投影した投影面が、排水室部の接続通路部の下流側端部に形成されることにより、尿石が付着して堆積しやすい接続通路部内、特に、小便器外部の排出部に接続される接続通路部の下流側端部について、掃除口部から閉塞具を取り外すだけで、尿石が接続通路部内（特に、接続通路部の下流側端部）に付着しているか否かを簡単な目視でより確実に確認することができる。また、小便器を清掃する際に、小便器外部の排出部に対して小便器全体を取り外すことなく、掃除口部から閉塞具を取り外すだけで、例えば、掃除手段を排水口部側から掃除口を介して排水室部内に挿入することができる。これにより、小便器外部の排出部が接続される排水室部の接続通路部の下流側端部付近の掃除を簡単且つ確実に行うことができる。したがって、排水室部の接続通路部の下流側端部付近に尿石が付着して堆積することを抑制することができ、ボウル面を洗浄して排水トラップ部から排出された接続通路部の排水の詰まりを防ぐことができる。
【発明の効果】
【００１３】
本発明の小便器によれば、小便器の掃除に伴って閉塞具を掃除口から着脱する際に、閉塞具や掃除口に付着している尿石による着脱の不具合を防ぐことができる。
【図面の簡単な説明】
【００１４】
【図１】本発明の一実施形態による小便器の側面断面図である。
【図２】図１に示す本発明の一実施形態による小便器の便器本体の下方領域部分を拡大した部分拡大側面断面図である。
【図３】本発明の一実施形態による小便器の平面図である。
【図４】図２に示す本発明の一実施形態による小便器の便器本体の下方領域部分において、排水口部、掃除口部、閉塞具、排水室、及び、目皿の部分をさらに拡大した部分拡大側面断面図である。
【図５】図２のＶ−Ｖ線に沿って見た断面図である。
【図６】図５に示す本発明の一実施形態による小便器において、目皿が傾いた状態を示す断面図である。
【図７】本発明の一実施形態による小便器の閉塞具の雄ねじ部材と、この雄ねじ部材を着脱する際に用いられる工具を示す斜視図である。
【発明を実施するための形態】
【００１５】
以下、図１〜図６を参照して、本発明の一実施形態による小便器について説明する。
図１は、本発明の一実施形態による小便器の側面断面図である。
まず、図１に示すように、本発明の一実施形態による小便器１は、トイレ空間の床又は壁に設置される陶器製の便器本体２を備えている。この便器本体２は、その正面側にボウル状に形成されたボウル部４を備えており、このボウル部４の表面は、使用者の排尿を受ける滑らかなボウル面４ａを形成している。
また、便器本体２のボウル面４ａの上方領域には、ボウル面４ａを洗浄する洗浄水を吐水する吐水装置６が設けられており、この吐水装置６の背面側には、洗浄水を供給する給水管６ａが接続されている。
【００１６】
つぎに、図１に示すように、ボウル面４ａの縦断面は、上方領域から下方領域に向かって全体的にほぼＪ字形のフック形状を形成している。
また、ボウル部４のボウル面４ａの下方領域に形成されるボウル部４の底部には、排水口部８が形成されている。
この排水口部８は、その全体が概ね下側に向かって凹んだ凹部となっており、この排水口部８の底面には、上下方向に貫く排水口８ａが形成されており、排水口部８の全周は、排水口８ａの周囲を取り囲むように形成されている。すなわち、排水口８は、ボウル面４ａの下方領域の排水口部８内の最低位置に形成されている。
【００１７】
つぎに、図１に示すように、便器本体２の排水口部８から下方には、排水トラップ部１０が形成されている。この排水トラップ部１０は、排水口部８の排水口８ａから下方に延びる下降管路１２と、この下降管路１２の下端から連続して、折り返して上方に延びる上昇管路１４とを備えている。
また、排水トラップ部１０内には、下水からの臭気等が便器本体２のボウル面４ａやその周囲のトイレ空間内へ侵入することを防ぐために、洗浄水が溜まっており、この洗浄水により封水されている。すなわち、排水トラップ部１０内には、ボウル部４の底部に設けられた排水口８よりも下方（下流側）に封水が形成されている。より詳細には、排水トラップ部１０においては、下降管路１２と上昇管路１４との連続部分、すなわち、排水トラップ部１０の折り返し部分に洗浄水が溜まることにより、封水が形成されるようになっている。
【００１８】
つぎに、図２は、図１に示す本発明の一実施形態による小便器の便器本体の下方領域部分を拡大した部分拡大側面断面図である。
図１及び図２に示すように、便器本体２の排水トラップ部１０の上昇管路１４の後方側（下流側）には、ボウル面４ａを洗浄して排水口８から排水トラップ部１０の下降管路１２に流れ込んで上昇管路１４から排出された洗浄水（排水）を便器本体２の背面外側の排水配管１６側へ排出させる排水室１８が形成されている。
また、図２に示すように、排水室１８の下方領域には、排水トラップ部１０の上昇管路１４の後端部に接続されて後方に延びる接続通路を形成する接続通路部２０が設けられており、この接続通路部２０の後端部は、便器本体２の背面外側の排水配管１６に接続されている。
なお、本実施形態では、接続通路部２０の後端部が排水配管１６に接続されている形態について説明するが、接続通路部２０と排水配管１６とが排水ソケット（図示せず）等を介して接続されてもよい。また、排水室１８の接続通路部２０については、排水トラップ部１０の上昇管路１４に一体的に形成されている形態について説明するが、樹脂等を用いて排水トラップ部１０と別体に形成されてもよい。
【００１９】
つぎに、図１及び図２に示すように、排水口８ａから後方側に向かって斜め上方に傾斜する傾斜壁２２が形成され、この傾斜壁２２により、排水口部８内の領域Ｒ１と排水室１８内の領域Ｒ２とが区画されるようになっている。
また、傾斜壁２２には、排水口部８と排水室１８とを連通させるように貫く掃除口２４を形成する掃除口部２６が設けられている。掃除手段であるブラシや高圧洗浄水のノズル等の掃除具（図示せず）を排水口部８側から掃除口部２６の掃除口２４を介して排水室１８内に挿入することにより、排水室１８から上流側の排水トラップ部１０の上昇管路１４、或いは、排水室１８の接続通路部２０やその下流側の排水配管１６内を掃除することができるようになっている。
【００２０】
つぎに、図１及び図２に示すように、掃除口部２６には、掃除口２４を閉塞する閉塞具２８（詳細は後述する）がパッキン等のシール部材３０を介して着脱可能に取り付けられている。
また、図１及び図２に示すように、排水口部８には、目皿３２が上方から着脱可能に取り付けられている。この目皿３２は、排水口部８に取り付けられた状態では、排水口８ａ、掃除口部２６、及び、掃除口部２６に取り付けられた閉塞具２８のすべてに対して離間した状態で上方から覆うことにより、排水口部８内全域を隠蔽するようになっている。
【００２１】
つぎに、図３は、本発明の一実施形態による小便器の平面図である。また、図４は、図２に示す本発明の一実施形態による小便器の便器本体の下方領域部分において、排水口部、掃除口部、閉塞具、排水室、及び、目皿の部分をさらに拡大した部分拡大側面断面図である。
図３及び図４に示すように、目皿３２の外周縁３４と排水口部８の内周縁３６は、上方から見て概ね楕円形状に形成されている。
また、図３及び図４に示すように、目皿３２が排水口部８に取り付けられた状態では、目皿３２の外周縁３４と排水口部８の内周縁３６との間には、ほぼ全周に亘って僅かな隙間Ｇが形成されている。
【００２２】
つぎに、図３及び図４に示すように、掃除口２４の開口断面Ｓ１は、ほぼ円形断面となっており、この掃除口２４に詳細は後述する概ね円柱状の閉塞具２８が排水口部８側から着脱可能に取り付けられることにより、掃除口２４が閉塞されるようになっている。
なお、掃除口２４の開口断面Ｓ１の形状については、円形形状に限定されることなく、例えば、楕円形状や多角形状等であってもよい。
【００２３】
また、閉塞具２８が掃除口２４から取り外された状態では、掃除口２４の開口断面Ｓ１をその中心Ｃ１を通る中心軸線Ａ１に沿って接続通路部２０に向けて投影した投影面Ｓ２が、仮想線Ｌ１と仮想線Ｌ２との間の範囲内の所定領域Ｒ３に形成されている。
さらに、所定領域Ｒ３は、仮想線Ｌ１と交わる排水室１８の接続通路部２０の底面２０ａにおける前後方向の中間部付近から後方側に形成されており、便器本体２の背面側のほぼ円筒状の排水配管１６の前端部１６ａ（上流側端部）が接続され且つ仮想線Ｌ２と交わる排水室１８の接続通路部２０の後端部（下流側端部）２０ｂの接続口３８の底面３８ａ付近までの領域かけて形成されている。これにより、掃除口２４の中心軸線Ａ１に沿った上方から見て、接続口３８の前側付近における排水室１８の接続通路部２０の底面２０ａから接続口３８の後側付近における排水配管１６の内面１６ｂにかけての投影面Ｓ２に相当する領域Ｒ３が目視可能となっている。
さらに、小便器１を掃除する際に、閉塞具２８を取り外した状態で、掃除する人が小便器１の掃除口２４の正面側で対向すると、接続口３８と排水配管１６の接続部付近が目視することができ、掃除具（図示せず）によって尿石が除去できたかどうかを確認しながら、掃除口２４に掃除具（図示せず）を挿入することにより、清掃作業が可能となっている。
特に、尿石の溜まりやすい接続通路部２０の底面２０ａ、排水配管１６の底面１６ｂ、及び、接続口３８における接続通路部２０の後端部２０ｂと排水配管１６の前端部１６ａとの接続部の段差Ｂ（図４参照）付近の尿石について、掃除口２４から挿入した掃除具（図示せず）で確実に除去することができるようになっている。
【００２４】
つぎに、図３〜図７を参照して、本実施形態の小便器の目皿及び閉塞具の詳細について説明する。
図５は、図２のＶ−Ｖ線に沿って見た断面図である。また、図６は、図５に示す本発明の一実施形態による小便器において、目皿が傾いた状態を示す断面図である。さらに、図７は、本発明の一実施形態による小便器の閉塞具の雄ねじ部材と、この雄ねじ部材を着脱する際に用いられる工具を示す斜視図である。
まず、図４及び図５に示すように、本実施形態の小便器１の閉塞具２８は、傾斜壁２２の掃除口部２６の掃除口２４に対して排水口部８側から挿入されて取り付けられるベース部材４０を備えている。
また、このベース部材４０は、その中心軸線Ａ２に沿って上下方向に貫くように挿入穴４０ａ（図５参照）を形成すると共に下方部分が掃除口２４内に挿入される下側円筒部４０ｂと、この下側円筒部４０ｂの上端部から周方向に沿って半径方向外側に突出するスカート部４０ｃを備えている。
【００２５】
つぎに、図４及び図５に示すように、閉塞具２８は、ベース部材４０の下側円筒部４０ｂを掃除口２４内に挿入した状態において、下側円筒部４０ｂの外側面と、スカート部４０ｃの内面と、傾斜壁２２の排水口部側面２２ａとによって取り囲まれる領域内に配置されるパッキン等のシール部材３０を備えている。このシール部材３０により、排水室１８の内部領域Ｒ２内の臭気や衛生害虫が掃除口２４から排水口部８の内に侵入しないように、掃除口２４と閉塞具２８とがシール部材３０によって隙間なく完全に密閉されるようになっている。
【００２６】
つぎに、図４及び図５に示すように、閉塞具２８は、ベース部材４０の挿入穴４０ａに挿入されて取り付けられ且つ閉塞具２８を傾斜壁２２の掃除口部２６に対して下側から係止可能な下側係止部材４２を備えている。
また、下側係止部材４２には、その上端から底部に向かって中心軸線Ａ２に沿って所定の奥行長さで雌ねじ穴４２ａ（図５参照）が形成されている。
さらに、図４に示すように、下側係止部材４２の下端部には、その外周の一部から半径方向外側に突出する突出部４２ｂが形成されている。閉塞具２８を傾斜壁２２の掃除口部２６に取り付けた状態では、下側係止部材４２の突出部４２ｂの先端が前方且つ下方に位置しており、突出部４２ｂの上面が排水室１８側から傾斜壁２２の排水室側面２２ｂに当接することにより、掃除口部２６の傾斜壁２２が排水口部８側のベース部材４０のスカート部４０ｃ及びシール部材３０と、排水室１８側の下側係止部材４２の突出部４２ｂとの間に挟まれて保持されるようになっている。
【００２７】
つぎに、図４、図５及び図７に示すように、閉塞具２８は、ベース部材４０の上側から挿入されると共に下側係止部材４２の雌ねじ穴４２ａに螺合される雄ねじ４４ａが設けられた雄ねじ部材４４を備えており、この雄ねじ部材４４は、閉塞具２８を着脱する際に、雄ねじ部材着脱用の工具４６によって着脱可能となっている。
具体的には、図７に示すように、雄ねじ部材４４の頭部には、その周方向に沿って間隔を置いて複数（３つ）の工具嵌め込み用の凹部４４ｂが形成されており、これらの凹部４４ｂのそれぞれは、雄ねじ部材着脱用の工具４６の下端部に間隔を置いて形成された複数（３つ）の嵌め込み用の突起４６ａのそれぞれによって嵌め込み可能となっている。
また、工具４６の突起４６ａを雄ねじ部材４４の凹部４４ｂに嵌め込んだ状態で、工具４６をその中心軸線回りに所定方向に回すことにより、雄ねじ部材４４がその中心軸線Ａ２回りに回転し、雄ねじ部材４４の雄ねじ４４ａと下側係止部材４２の雌ねじ穴４２ａとの互いの螺合が前進され、傾斜壁２２の掃除口部２６に対する閉塞具２８の取り付け具合が強化されるようになっている。
一方、工具４６の突起４６ａを雄ねじ部材４４の凹部４４ｂに嵌め込んだ状態で、工具４６をその中心軸線回りに所定方向とは反対方向に回すことにより、雄ねじ部材４４の雄ねじ４４ａと下側係止部材４２の雌ねじ穴４２ａとの互いの螺合が後進され、傾斜壁２２の掃除口部２６に対する閉塞具２８の取り付け具合が緩められるようになっている。
【００２８】
つぎに、図４、図５及び図７に示すように、閉塞具２８は、雄ねじ部材４４の雄ねじ４４ａの頭部の外周部４４ｃに取り付けられるＯリング等のシール部材４８を備えている。
また、ベース部材４０は、下側円筒部４０ｂの上端付近から上方に円筒状に形成される上側円筒部４０ｄを備えており、閉塞具２８を掃除口部２６に取り付けた状態では、ベース部材４０の上側円筒部４０ｄの内周面と雄ねじ部材４４の頭部の外周部４４ｃとの間は、シール部材４８によって密封されるようになっている。これにより、排水口部８内にあり且つ閉塞具２８の外側にある尿を含む洗浄水が、ベース部材４０の上側円筒部４０ｄの内周面と雄ねじ部材４４の頭部の外周部４４ｃとの間からベース部材４０の上側円筒部４０ｄの内部に侵入することを防ぐと共に、これらの尿を含む洗浄水が、ベース部材４０の挿入穴４０ａ、下側係止部材４２の雌ねじ穴４２ａ、及び、雄ねじ部材４４の雄ねじ４４ａに達した後、尿石として付着することを防ぐことができるようになっている。
【００２９】
さらに、図４に示すように、ベース部材４０の下側円筒部４０ｂの外径は、掃除口２４の開口断面Ｓ１の直径よりも小さく設定されており、閉塞具２８を掃除口部２６に取り付けた状態では、閉塞具２８の中心軸線Ａ２は、掃除口２４の開口断面Ｓ１の中心軸線Ａ１に対して下方且つ平行に位置している。
【００３０】
つぎに、図３〜図６に示すように、目皿３２は、その下面（裏面）５０から下方に向かって突出する複数（３つ）の突出部５２，５４，５６を備えている。これらの複数の突出部５２，５４，５６のうち、前方側突出部５２は、目皿３２の下面５０の前端部から下方に突出するものであり、一対の側方側突出部５４，５６は、閉塞具２８の雄ねじ部材４４の頭部から中心軸線Ａ２に沿って前方斜め上方に位置する目皿３２の下面５０付近から閉塞具２８の側面と対向するように下方に突出するものである。
また、図４及び図５に示すように、目皿３２が排水口部８に取り付けられた状態では、目皿３２の前方側突出部５２は、排水口部８の底面に接触しているものの、目皿３２の下面５０については、閉塞具２８に一切接触することなく、離間した状態となっている。
さらに、図５に示す断面視において、目皿３２の上下方向の中心軸線Ａ３が掃除口２４の開口断面Ｓ１の中心軸線Ａ１及び閉塞具２８の中心軸線Ａ２と一致しており、図５に示すように、これらの一対の側方側突出部５４，５６のそれぞれの左右方向の内側面５４ａ，５６ａについては、閉塞具２８のベース部材４０及び雄ねじ部材４４の側面と水平方向に離間した状態で対向しており、一対の側方側突出部５４，５６のそれぞれの下端部５４ｂ，５６ｂは、閉塞具２８のベース部材４０のスカート部４０ｃの上面と上下方向に離間した状態で対向している。
【００３１】
一方、目皿３２が、例えば、図５に示す排水口部８に取り付けられた状態の中心軸線Ａ３から図６に示す中心軸線Ａ３’まで傾いた状態では、目皿３２の一対の側方側突出部５４，５６のうちの一方の側方側突出部５４の下端部５４ｂが閉塞具２８のベース部材４０のスカート部４０ｃの上面と当接することにより、目皿３２の傾きが制限されるようになっている（図６参照）。
また、例えば、図５に示す排水口部８に取り付けられた状態の中心軸線Ａ３から図６に示す中心軸線Ａ３’までの方向と逆方向に傾いた状態では、目皿３２の一対の側方側突出部５４，５６のうちの一方の側方側突出部５６の下端部５６ｂが閉塞具２８のベース部材４０のスカート部４０ｃの上面と当接することにより、目皿３２の傾きが制限されるようになっている。
なお、本実施形態では、小便器１の目皿３２の複数の突出部として、前方側突出部５２と一対の側方側突出部５４，５６の３つの突出部を採用した形態について説明するが、３つ以外の複数の突出部を採用してもよい。
【００３２】
つぎに、図３及び図４に示すように、排水口８ａからその中心軸線Ａ４上に沿って目皿３２の下面５０までの距離Ｈ１は、閉塞具２８の雄ねじ部材４４の頭部端面４４ｄから掃除口部２６の掃除口２４の開口断面Ｓ１の中心軸線Ａ１に沿って目皿３２の下面５０までの距離Ｈ２よりも大きく設定されているため、これにより、排水口部８の底面及び傾斜壁２２の排水口部側面２２ａと目皿３２の下面５０との間の排水口部８内の領域Ｒ１には、尿を含んだ十分な量の洗浄水が流入可能な空間が形成されるようになっている。また、ボウル部４内の排尿を洗浄した洗浄水がボウル面４ａに沿って流れ、目皿３２の外周縁３４と排水口部８の内周縁３６との隙間Ｇを通過して排水口部８内に流入する際に、例えば、尿を含んだ洗浄水が目皿３２の下面５０（裏面）に沿って伝わりながら流れたとしても、目皿５０の下面３２と閉塞具２８とが互いに接触することなく、両者の間に隙間が確実に形成されているため、尿を含んだ洗浄水を効果的に排水口８ａに行き渡り易くさせることができるようになっている。
【００３３】
つぎに、図１〜図４を参照して、本発明の一実施形態による小便器の作用について説明する。
なお、図３及び図４については、洗浄水の流れを矢印で示している。
小便器１は、使用者がボウル部４内に排尿した後、吐水装置６が給水管６ａから供給された洗浄水をボウル面４ａに吐水する。この吐水装置６から吐水された洗浄水Ｗ０は、ボウル面４ａを上方から下方の排水口部８に向かって洗浄しながら流れる。
そして、排水口部８に到達した尿を含んだ洗浄水Ｗ０は、目皿３２の外周縁３４の後端面と排水口部８の内周縁３６の後端面との間の隙間Ｇの上方付近において、隙間Ｇに流入することなく目皿３２の上面（表面）に沿って相対的に目皿３２の前方且つ下方に向かって流れる洗浄水Ｗ１と、隙間Ｇに流入する洗浄水Ｗ２とに分流される。
【００３４】
また、図３及び図４に示すように、隙間Ｇに流入することなく目皿３２の上面に沿って相対的に目皿３２の前方且つ下方に向かって流れる洗浄水Ｗ１は、図３に示すように、目皿３２の外周縁３４の前端に向かって流れつつ、その途中で左右方向の目皿３２の外周縁３４と排水口部８の内周縁３６との間の隙間Ｇに向かって流れた後に、隙間Ｇから排水口部８内に流入し、その後、排水口８ａに流入して排出される流れを形成する。或いは、目皿３２の上面に沿って相対的に目皿３２の前方且つ下方に向かって流れる洗浄水Ｗ１は、図４に示すように、目皿３２の外周縁３４の前端面と排水口部８の内周縁３６の前端面との間の隙間Ｇから排水口部８内に流入した後、排水口部８の底面に沿って排水口８ａに流入して排出される流れを形成する。
【００３５】
一方、隙間Ｇに流入した洗浄水Ｗ２は、排水口部８の内周縁３６の後端面に沿って排水口部８内に流入した後、排水口部８内の傾斜壁２２の排水口部側面２２ａに沿って排水口８ｂに向かって流れる洗浄水Ｗ３が主流となるが、隙間Ｇに流入した洗浄水Ｗ２の一部の洗浄水Ｗ４は、目皿３２の下面（裏面）５０の後方側から下面５０に沿って伝わりながら、閉塞具２８に接触することなく、目皿３２の下面５０に沿って相対的に前方側且つ下方側に行き渡り、最終的には、排水口部８内で洗浄水Ｗ１と合流し、排水口８ａに流入して排出される流れを形成する。
また、排水口部８内の傾斜壁２２の排水口部側面２２ａに沿って排水口８ｂに向かって流れる洗浄水Ｗ３については、掃除口２４と閉塞具２８とがシール部材３０によって隙間なく完全に密閉されているため、掃除口２４内に流入することなく、閉塞具２８のベース部材４０を迂回して排水口８ａに向かって流れる。
その後、排水口８から排水トラップ部１０の下降管路１２内に流入した洗浄水は、排水トラップ部１０に溜まった尿を下流の上昇管路１４へ押し出し、この上昇管路１４から排水室１８内に流出した洗浄水が、接続通路部２０を下流側に流れ、接続口３８から尿を排水配管１６内へ排水する。
【００３６】
つぎに、本発明の一実施形態による小便器１の排水トラップ部１０よりも下流側の接続通路部２０と排水配管１６における清掃方法について説明する。
まず、清掃者は、小便器１の排水トラップ部１０よりも下流側の接続通路部２０と排水配管１６を清掃する前の準備として、目皿３２を排水口部８から取り外す。
その後、掃除口部２６に取り付けられた状態の閉塞具２８を取り外すために、工具４６の突起４６ａを閉塞具２８の雄ねじ部材４４の凹部４４ｂに上方から嵌め込み、工具４６をその中心軸線Ａ２回りに所定方向に回すことにより、雄ねじ部材４４について、その中心軸線Ａ２回りに回転させて、雄ねじ部材４４の雄ねじ４４ａと下側係止部材４２の雌ねじ穴４２ａとの互いの螺合が解除される方向に回転させて、傾斜壁２２の掃除口部２６に対する閉塞具２８の取り付け具合を緩める。
これにより、掃除口部２６の傾斜壁２２が、排水口部８側のベース部材４０のスカート部４０ｃ及びシール部材３０と、排水室１８側の下側係止部材４２の突出部４２ｂとの間の距離が大きくなり、閉塞具２８の下側係止部材４２による掃除口部２６の傾斜壁２２に対する排水室１８側からの係止が解除される。
【００３７】
つぎに、閉塞具２８について、図４に示す下側係止部材４２の突出部４２ｂの先端が前方且つ下方に差し向けられている状態から、下側係止部材４２の突出部４２ｂの先端が後方且つ上方に差し向けられるように、閉塞具２８を中心軸線Ａ２回りに回転させた後、閉塞具２８全体について、掃除口部２６に対して排水口部８側に引き抜くことにより、閉塞具２８が掃除口部２６に対して取り外される。
そして、開放された掃除口２４にブラシや高圧洗浄水のノズル等の掃除具（図示せず）を挿入する。ここで、高圧洗浄水のノズル等の掃除具（図示せず）を使用している場合には、ノズル（図示せず）の先端から高圧の洗浄水を噴出させる。
そして、高圧の洗浄水によって接続通路部２０や排水配管１６に付着した尿石を除去し、下流側に押し出し、清掃する。
【００３８】
また、高圧洗浄水のノズル（図示せず）を用いる代わりに、開放された掃除口２４から薬剤を投入し、尿石を溶解させてもよい。さらに、尿石を摩滅させるための回転砥石状の工具（図示せず）を通したりすることによって、尿石を摩滅させてもよい。
このように掃除口２４から閉塞具２８を取り外して高圧洗浄水のノズル（図示せず）を挿入したり、薬剤を投入したりするだけで、接続通路部２０や排水配管１６を簡単且つ確実に清掃することができるので、小便器１を排水配管１６から取り外すことなく、排水トラップ部１０より下流の接続通路部２０の清掃をすることができ、短時間で清掃作業を完了することができる。
したがって、高速道路の休憩所等の利用者が多い公衆トイレ空間においても、従来よりも短時間で清掃を行うことができるため、小便器１の清掃のために、利用者が小便器１を使用することができない時間を短く抑えることが可能となる。
【００３９】
つぎに、小便器１の清掃が完了すると、掃除具（図示せず）を掃除口２４から排水口部８側に引き抜いて取り出した後、閉塞具２８を掃除口部２６に取り付ける。この際、下側係止部材４２の突出部４２ｂの先端が後方且つ上方に差し向けられている状態の閉塞具２８の下側係止部材４２の突出部４２ｂについて、掃除口２４内に挿入し、突出部４２ｂの先端が後方且つ上方に差し向けられている状態で排水室１８内に配置する。
その後、図４に示すように、下側係止部材４２の突出部４２ｂの先端が前方且つ下方に差し向けられるように、閉塞具２８全体を中心軸線Ａ２回りに回転させた後、工具４６の突起４６ａを閉塞具２８の雄ねじ部材４４の凹部４４ｂに上方から嵌め込み、工具４６をその中心軸線Ａ２回りに所定方向に回すことにより、雄ねじ部材４４について、その中心軸線Ａ２回りに回転させて、雄ねじ部材４４の雄ねじ４４ａと下側係止部材４２の雌ねじ穴４２ａとの互いの螺合を前進させる方向に回転させて、傾斜壁２２の掃除口部２６に対する閉塞具２８の取り付け具合を強める。そして、突出部４２ｂの上面が排水室１８側から傾斜壁２２の排水室側面２２ｂに当接することにより、掃除口部２６の傾斜壁２２が排水口部８側のベース部材４０のスカート部４０ｃ及びシール部材３０と、排水室１８側の下側係止部材４２の突出部４２ｂとの間に挟まれて保持される。
そして、最終的に目皿３２を排水口部８内に取り付けて、小便器１が使用可能な状態となる。
【００４０】
上述した本発明の一実施形態による小便器１によれば、ボウル部４の底部に形成された排水口部８に取り付けられた目皿３２が、排水口８ａ、掃除口部２６、及び、掃除口部２６に取り付けられた閉塞具２８のすべてに対して離間した状態で覆うように取り付けられていることにより、ボウル部４内の排尿を洗浄した洗浄水がボウル面４ａに沿って流れ、目皿３２を通過して排水口部８に流入した際に、例えば、図４に示すように尿を含んだ洗浄水Ｗ４が目皿３２の下面（裏面）５０に沿って伝わりながら流れたとしても、目皿３２の下面５０と閉塞具２８とが互いに接触することなく、両者の間に隙間が確実に形成されているため、尿を含んだ洗浄水を排水口８ａに行き渡り易くさせることができる。これにより、排水効率を向上させることができ、尿を含んだ洗浄水が目皿３２の下面５０から閉塞具２８に伝わり難くすることができる。
また、閉塞具２８や掃除口部２６に尿が留まることによって尿石として付着することを抑制することもできるため、小便器１の掃除に伴って閉塞具２８を掃除口部２６から着脱する際に、閉塞具２８や掃除口部２６に尿石が付着していることによって着脱の不具合が生じることを防ぐことができる。
【００４１】
また、本実施形態による小便器１によれば、排水口８ａからその中心軸線Ａ４上に沿って目皿３２の下面５０までの距離Ｈ１が、閉塞具２８の雄ねじ部材４４の頭部端面４４ｄから掃除口部２６の掃除口２４の開口断面Ｓ１の中心軸線Ａ１に沿って目皿３２の下面５０までの距離Ｈ２よりも大きく設定されていることにより、ボウル部４内の排尿を洗浄した洗浄水がボウル面４ａに沿って流れ、目皿３２の外周縁３４と排水口部８の内周縁３６との隙間Ｇを通過して排水口部８内に流入する際に、例えば、尿を含んだ洗浄水が目皿３２の下面５０（裏面）に沿って伝わりながら流れたとしても、目皿３２の下面５０と閉塞具２８とが互いに接触することなく、両者の間に隙間が確実に形成されているため、尿を含んだ洗浄水を効果的に排水口８ａに行き渡り易くさせることができ、排水効率をより向上させることができる。
【００４２】
さらに、本実施形態による小便器１によれば、目皿３２の下面５０と閉塞具２８との間に隙間が形成されていることにより、例えば、目皿３２の表面を掃除している際等に目皿３２の表面の一部に力が加わって、目皿３２が傾くことがあったとしても、目皿３２が、その下面５０から下方に向かって突出する複数の突出部５２，５４，５６を備えているため、目皿３２が排水口部８に取り付けられた状態から傾くことにより、これらの複数の突出部５２，５４，５６のうちの一対の側方側突出部５４，５６のいずれか一つが、閉塞具２８のベース部材４０のスカート部４０ｃの上面に当接し、目皿３２の傾きを制限することができる。
したがって、目皿３２の表面の一部に力が加わることにより、目皿３２が傾きの限度を超えて回転して排水口部８から外れてしまうことを防ぐことができる。
【００４３】
また、本実施形態による小便器１によれば、掃除口部２６の掃除口２４の開口断面Ｓ１を中心軸線Ａ１に沿って排水室１８の接続通路部２０に向けて投影した投影面Ｓ２が、排水室１８の接続通路部２０の底面２０ａに形成されることにより、小便器１を清掃する際に、小便器１の外部の排水配管１６に対して小便器１の全体を取り外すことなく、目皿３２を取り外した後に閉塞具２８を掃除口部２６から取り外すだけで、掃除具（図示せず）を排水口部８側から掃除口２４を介して排水室１８内に挿入することができる。これにより、排水トラップ部１０より後方側（下流側）に形成される排水室１８の接続通路部２０の底面２０ａ付近の掃除を簡単且つ確実に行うことができる。
したがって、排水トラップ部１０の後方側（下流側）の排水室１８の接続通路部２０の底面２０ａ付近に尿石が付着して堆積することを抑制することができ、ボウル面４ａを洗浄して排水トラップ部１０から排出された接続通路部２０の排水の詰まりを防ぐことができる。
【００４４】
さらに、本実施形態による小便器１によれば、掃除口部２６の掃除口２４の開口断面Ｓ１を中心軸線Ａ１に沿って接続通路部２０に向けて投影した投影面Ｓ２が、排水室１８の接続通路部２０の後端部（下流側端部）２０ｂに形成されることにより、尿石が付着して堆積しやすい接続通路部２０内、特に、小便器１の外部の排水配管１６に接続される接続通路部２０の後端部（下流側端部）２０ｂについて、目皿３２を取り外した後に掃除口部２６から閉塞具２８を取り外すだけで、尿石が接続通路部２０内（特に、接続通路部２０の下流側端部２０ｂ）に付着しているか否かを簡単な目視でより確実に確認することができる。
また、小便器１を清掃する際に、小便器１の外部の排水配管１６に対して小便器１の全体を取り外すことなく、目皿３２を取り外した後に閉塞具２８を掃除口部２６から取り外すだけで、掃除具（図示せず）を排水口部８側から掃除口２４を介して排水室１８内に挿入することができる。これにより、小便器１の外部の排水配管１６が接続される排水室１８の接続通路部２０の下流側端部２０ｂ付近の掃除を簡単且つ確実に行うことができる。したがって、排水室１８の接続通路部２０の下流側端部２０ｂ付近に尿石が付着して堆積することを抑制することができ、ボウル面４ａを洗浄して排水トラップ部１０から排出された接続通路部２０の排水の詰まりを防ぐことができる。
【００４５】
なお、上述した本発明の一実施形態による小便器１については、吐水装置６から吐水される洗浄水を用いてボウル面４ａを洗浄する形態について説明してきたが、吐水装置６を設けずに、ボウル面４ａを洗浄するための洗浄水Ｗを用いない無水小便器の形態についても適用可能である。
【符号の説明】
【００４６】
１    小便器
２    便器本体
４    ボウル部
４ａ  ボウル部のボウル面
６    吐水装置
６ａ  給水管
８    排水口部
８ａ  排水口
１０    排水トラップ部
１２    下降管路
１４    上昇管路
１６    排水配管（小便器外部の排出部）
１６ａ  排水配管の前端部
１６ｂ  排水配管の内面
１８    排水室（排水室部）
２０    排水室の接続通路部（排水室部の接続通路部）
２０ａ  排水室の接続通路部の底面
２０ｂ  排水室の接続通路部の後端部（排水室部の接続通路部の下流側端部）
２２    傾斜壁（排水口部と排水室部とを区画する壁部）
２２ａ  傾斜壁の排水口部側面
２２ｂ  傾斜壁の排水室側面
２４    掃除口
２６    掃除口部
２８    閉塞具
３０    シール部材
３２    目皿
３４    目皿の外周縁
３６    排水口部の内周縁
３８    接続口
３８ａ  接続口の底面
４０    閉塞具のベース部材
４０ａ  閉塞具のベース部材の挿入穴
４０ｂ  閉塞具のベース部材の下側円筒部
４０ｃ  閉塞具のベース部材のスカート部
４０ｄ  閉塞具のベース部材の上側円筒部
４２    閉塞具の下側係止部材
４２ａ  閉塞具の下側係止部材の雌ねじ穴
４２ｂ  閉塞具の下側係止部材の突出部
４４    雄ねじ部材
４４ａ  雄ねじ部材の雄ねじ
４４ｂ  雄ねじ部材の工具嵌め込み用の凹部
４４ｃ  雄ねじ部材の頭部の外周部
４４ｄ  雄ねじ部材の頭部端面
４６    雄ねじ部材着脱用の工具
４６ａ  雄ねじ部材着脱用の工具の嵌め込み用の突起
４８    シール部材
５０    目皿の下面
５２    目皿の前側突出部
５４    目皿の側方側突出部
５４ａ  目皿の側方側突出部の内側面
５４ｂ  目皿の側方側突出部の下端部
５６    目皿の側方側突出部
５６ａ  目皿の側方側突出部の内側面
５６ｂ  目皿の側方側突出部の下端部
Ａ１  掃除口の開口断面の中心軸線
Ａ２  閉塞具の中心軸線
Ａ３  目皿の上下方向の中心軸線
Ａ４  排水口の中心軸線
Ｂ    排水室の接続通路部の後端部と排水配管の前端部との接続部の段差
Ｃ１  掃除口の開口断面の中心
Ｌ１  掃除口の開口断面から中心軸線に沿って接続通路に向けて投影した投影面までの仮想線
Ｌ２  掃除口の開口断面から中心軸線に沿って接続通路に向けて投影した投影面までの仮想線
Ｒ１  排水口部内の領域
Ｒ２  排水室内の領域
Ｒ３  掃除口の開口断面の投影面に相当する領域
Ｓ１  掃除口の開口断面
Ｓ２  投影面
Ｗ０  洗浄水
Ｗ１  洗浄水
Ｗ２  洗浄水
Ｗ３  洗浄水
Ｗ４  洗浄水
【図１】
0006528929.tif 000002
【図２】
0006528929.tif 000003
【図３】
0006528929.tif 000004
【図４】
0006528929.tif 000005
【図５】
0006528929.tif 000006
【図６】
0006528929.tif 000007
【図７】
0006528929.tif 000008